(57)【要約】生体インプラントが少なくとも２つの荷重支持面を備える形状であり、各荷重支持面が互いに対してある角度に向けられた複数の突起を有しており、向かい合う荷重支持面に通常の圧縮負荷がかかるとき、あらゆる方向への平行移動に抵抗する。
2006526478.tif 000002
【特許請求の範囲】
【請求項１】
生体インプラントが移植部位からの転位を引き起こす傾向にある多方向の平行移動負荷を移植後に受ける生体インプラントであって、前記生体インプラントが、そのような負荷に選択的に抵抗するために荷重支持面の少なくとも一部に画成された複数の不均一形状の突起を有する生体インプラント。
【請求項２】
前記生体インプラントに平行移動負荷がかかるとき、前記荷重支持面上の突起の形状が、前記生体インプラントの全方向の平行移動に対して抵抗するようになっている、請求項１に記載の生体インプラント。
【請求項３】
１つ又は複数の突起の集団又は突起の部分が、同一の及び／又は異なる荷重支持面上の他の１つ又は複数の突起の集団又は突起の部分と異なる向きである、請求項１に記載の生体インプラント。
【請求項４】
荷重支持面上の１つ又は複数の突起の集団又は突起の部分が、別の荷重支持面上の別の１つ又は複数の突起の集団又は突起の部分に対して非平行方向を向いている、請求項３に記載の生体インプラント。
【請求項５】
前記突起がほぼ均一な形状及び／又はサイズである、請求項１に記載の生体インプラント。
【請求項６】
前記突起がほぼ不均一な形状及び／又はサイズである、請求項１に記載の生体インプラント。
【請求項７】
前記突起のうち少なくともいくつかが菱形断面を有する、請求項１に記載の生体インプラント。
【請求項８】
前記突起のうち少なくともいくつかが少なくとも２つの平行面を含む多角形を有する、請求項１に記載の生体インプラント。
【請求項９】
前記突起のうち少なくともいくつかが少なくとも２つの平行面を含む段階形状を有する、請求項１に記載の生体インプラント。
【請求項１０】
前記荷重支持面が脱無機質化された、請求項１に記載の生体インプラント。
【請求項１１】
前記突起のうち少なくともいくつかが３つ以上の面を含む断面を有する、請求項１に記載の生体インプラント。
【請求項１２】
前記突起のうち少なくともいくつかが卵形の断面を有する、請求項１に記載の生体インプラント。
【請求項１３】
１つ又は複数の突起の集団又は突起の部分内に存在する前記突起のうち少なくともいくつかが狭い間隔である、請求項１に記載の生体インプラント。
【請求項１４】
１つ又は複数の突起の集団又は突起の部分内に存在する前記突起のうち少なくともいくつかが、約６．０ｍｍ以下の間隔に離間している、請求項１３に記載の生体インプラント。
【請求項１５】
１つ又は複数の突起の集団又は突起の部分内に存在する前記突起のうち少なくともいくつかが、約０．５ｍｍから約１．５ｍｍまでの間隔に離間している、請求項１４に記載の生体インプラント。
【請求項１６】
１つ又は複数の突起の集団又は突起の部分内に存在する前記突起のうち少なくともいくつかが、約０．１ｍｍから約６．０ｍｍまでの高さを有する、請求項１に記載の生体インプラント。
【請求項１７】
１つ又は複数の突起の集団又は突起の部分内に存在する前記突起のうち少なくともいくつかが、約０．３ｍｍから約３．０ｍｍまでの高さを有する、請求項１６に記載の生体インプラント。
【請求項１８】
１つ又は複数の突起の集団又は突起の部分内に存在する前記突起のうち少なくともいくつかが、約０．５ｍｍから約１．５ｍｍまでの高さを有する、請求項１６に記載の生体インプラント。
【請求項１９】
少なくともいくつかの突起が湾曲パターンで配置されている、請求項１に記載の生体インプラント。
【請求項２０】
少なくともいくつかの突起が円形パターンで配置されている、請求項１９に記載の生体インプラント。
【請求項２１】
椎間インプラントである、請求項１に記載の生体インプラント。
【請求項２２】
椎間インプラントである、請求項１０に記載の生体インプラント。
【発明の詳細な説明】
【技術分野】
【０００１】
関連出願の相互参照
本出願は、２００３年６月３日に出願された米国仮出願第６０／４７５，８０５号の利益を主張し、その全体の内容を参照によって援用する。
【０００２】
本発明は全体として外科的生体インプラントを対象とする。特に本発明は、生体インプラントの手術部位での全方向平行移動に対する生体インプラントの抵抗を改良した、生体インプラントの荷重支持面の形状に関する。
【背景技術】
【０００３】
脊椎固定は、例えば構造的な変形、外傷による不安定性、変性による不安定性、切開後の不安定性など、疼痛を伴う脊椎動作や障害に対して脊柱を安定化することを対象としている。固定又は関節固定術は、隣接する可動部分同士の間に骨のブリッジを形成することによって行われる。これは、隣接する椎体の間で前方的に、又は連続する横突起、椎弓（ｌａｍｉｎａｅ）、又は椎骨の他の後方要素の間で後方的に、椎間板の空間で行うことができる。
【０００４】
固定又は関節固定術は、しばしば椎間板異常を治療するために行われる。隣接する椎体の同士の間に位置する椎間板は、脊椎を安定させ、椎骨間で力を分配しかつ椎体を衝撃から保護する。正常な椎間板は、半ゼラチン状の要素、繊維輪と呼ばれる外側の繊維の輪によって囲まれ閉じ込められている髄核を含む。健康で正常な脊椎では、髄核が椎間板の外に突き出ることを繊維輪が防いでいる。
【０００５】
椎間板は外傷、疾患、又は加齢によって変位又は損傷することがある。繊維輪が断裂すると髄核が脊椎管内へ突出する。この病態を一般に椎間板ヘルニアという。脱出した髄核は脊椎神経を圧迫することがあり、これにより神経の損傷、疼痛、痺れ、筋力低下、又は麻痺が起こる可能性がある。椎間板はまた、通常の加齢段階又は疾病によって劣化することがある。椎間板が脱水化し硬化すると椎間板腔の高さが低くなり、脊椎の不安定化を招き、可動性が低下し、疼痛が起こる。
【０００６】
これらの病態の症状を緩和するために、椎間板切除、又は椎間板の部分切除又は全切除を行い、その後隣接する椎骨の固定を行うことが唯一の方法である場合がある。損傷した、又は病的な椎間板の切除は、椎間板腔の陥凹化を引き起こす。椎間板腔の狭小化によって、脊椎の不安定化、関節構造の異常、関節炎又は神経損傷の早期進行、さらに重度の疼痛が起こることがある。椎間板切除及び関節固定による疼痛の緩和には、椎間板腔を維持し患部の可動部分を最終的に固定する必要がある。
【０００７】
切除した椎間板腔を安定化するための多くの解決法の１つは、椎骨をそれぞれのの間で、好ましくは前方又は後方プレートを使用する必要なしに固定することである。損傷した椎間板を置換し、少なくとも完全な関節固定が行われるまで、隣接する椎骨同士の間の椎間板の空間の安定性を維持するために使用することのできる利用可能なインプラントを開発するために数多くの試みがなされてきた。インプラントが成功するには一時的な支持を行って骨の内殖を促す必要がある。インプラントは患者が生活する上での周期的な脊椎負荷に耐えられないことがあるので、椎間板切除及び固定術が成功するには、近接した骨を連続的に成長させ、固体塊を形成する必要がある。
【０００８】
椎間板を切除した後に椎間板腔を修復する多くの試みは、骨成長を促進する様々な骨移植に依存してきた。（患者から採取する）自家移植骨、（他の患者から採取する）同種移植骨、（他種動物の骨である）異種移植片の使用は、人体医学及び獣医学の両方において良く知られている。同種移植片及び自家移植片は両方とも、漸次置換段階を経て時間の経過とともに患者自身の骨を置換する生体材料である。骨移植片は、使用寿命後もずっと残る金属インプラントとは異なり、時間の経過とともに実質的に消滅する。骨移植片は周辺骨と同じ弾性係数を有するので、応力遮蔽が避けられる。骨移植片の種類に関わらず、次のような特徴を有するべきである。
―高い荷重に対する耐性
―部位における新しい骨組織の成長を促進するのに必要な骨誘導性及び骨伝導性
したがって、組成的にはインプラントは、好適には、大部分を占める無機質化した骨の内側部分及び隣接する椎骨との固定面となる脱無機質化（ｄｅｍｉｎｅｒａｌｉｚｅｄ）骨の外側部分又は層を含む。
【０００９】
しかし、高い固定率をもたらすにはインプラントの組成だけでは必ずしも十分ではない。むしろ、インプラントの組成と形状の組み合わせによって生体学的の特性は著しく向上する。生体内原位置では、骨形成インプラントはインプラントの平行移動を引き起こす傾向のある多方向の圧縮的負荷を受けており、この平行移動は神経及び血管の損傷、ならびに椎間板腔の陥凹化を引き起こすことがある。したがって、インプラントが滑ったり圧出する可能性を最小限に抑えるために、インプラントと隣接する椎骨との間の結合を構造的に堅固にすることが不可欠である。相対的な転位によって起こる結果の１つは、インプラントと隣接する椎体との並置面間の摩擦と関連しており、漸次ではあるが脱無機質化層の不均一な薄層化を引き起こし、骨誘導性及び骨伝導性に有害に影響する。したがって、生体インプラントの設計は特に次の点を考慮するべきである。
【００１０】
多方向の圧縮力によって起こる、インプラントと隣接する椎骨の間の相対的な転位を最小限に抑えること、及び
インプラントの荷重支持面の形状は、インプラントが多方向の平行移動を受けるときインプラント表面の特徴への損傷を最小限に抑えるものとする。
【００１１】
これらの問題は、完全には解決されていないが、表面加工した脱無機質化層を備える骨生成性インプラントを提供することによって対処されてきた。例えば、米国特許第６，５１１，５０９号には、それぞれが離間した又は連続した突起を備える１つ又は複数の表面加工した骨表面を含む、表面加工した生体インプラントが開示されている。均一な形状にされた突起が、隣接する椎骨のにそれぞれインプラントの中心軸に対して均一な角度で係合する。
【００１２】
米国特許第６，５１１，５０９号は、表面加工した面の一般的な構造を表している。数多くの形状及び寸法に関わらず、突起は一般に形状、寸法、及びに対する向きが均一に形成されており、したがって突起にかかる圧縮力への反応は非選択的である。しかし、このような形状では、加えられる圧縮加重が一般に多方向性であるという事実が考慮されていない。したがって、例えば上位椎骨のに面する突起の一群がインプラントを一方向に確実に固定することができるが、インプラントの底面にある他の突起の一群は同じように効果的ではないことがある。さらに、インプラントの荷重支持面全体にかかる圧力の分配が均一であることはほとんどない。その結果、突起の一部は高い摩擦力を受け、それにより突起の外面上にある脱無機質化層が不均一に削られることがある。このため、生体インプラントの骨誘導性が有害な影響を受けることがある。
【発明の開示】
【発明が解決しようとする課題】
【００１３】
したがって、生体インプラントと隣接する椎骨との間の転位を最小限に抑え、そのような平行移動が起こった場合に生体インプラントの脱無機質化層への損傷を最小限に抑える構造を有する生体インプラントが必要とされている。
【００１４】
本発明の１つの目的は、生体インプラントが移植中及び／又は移植後に、移動、圧出、回転、又は重大な損傷を引き起こさないように、生体インプラント、特に骨から採取し、（椎間板の外科的切除によって生じる、隣接する椎骨同士の間の椎間板腔などの）移植部位で作用する多方向の平行移動負荷によって発生する影響を最小限に抑える形状の椎間インプラントを提供することである。
【００１５】
本発明の別の目的は、生体インプラントの荷重支持面上に設けられた脱無機質化層の磨耗を最小限に抑えるように、手術部位で多方向の負荷によって発生する不均等な力の分配に対処する形状の生体インプラントを提供することである。
【００１６】
本発明の他の目的は、インプラントの安定性、骨伝導性、及び／又は骨伝導性を向上させるように表面加工した荷重支持面を備えた生体インプラントを提供することである。
これらの、及び他の本発明の目的を達成することによって、生体インプラントが移植部位からの転位を引き起こす傾向にある多方向の平行移動負荷を移植後に受け、そのような負荷に選択的に抵抗するために荷重支持面の少なくとも一部に複数の不均一形状の突起を有する、生体インプラントが提供される。
【課題を解決するための手段】
【００１７】
本発明の一態様によれば、突起は、インプラントの両荷重支持面上の完全なシステムとしてみなされ、全方向に転位するのに抵抗するように配置される。このことは、荷重支持面の上面及び底面に様々な相補的パターンの突起を有することによって、あるいは各表面に同様の、又は同一の多方向突起を有することによって達成される。相補的な突起の一例はリッジであり、これは所与の面上で互いに平行に延びているが、一方の面を他方と比較すると角度を有する（好ましくは垂直である）。多方向突起の一例は、円形又は半円形のリッジである。既存の多方向パターンの例は、一連のピラミッド形であり、交差するリッジラインのパターンによって形成されている。本来、これらのパターンはそれぞれの交差グリッドを形成するために少なくとも２つの機械加工段階を必要とする。本発明の好ましいパターンは、１つの機械加工段階によって（成形、多点切削工具を使用して）作製することができる。平行パターン又は円形パターンが１段階で作製される方法を理解するのは簡単である。１段階機械加工の明らかな利点は、時間及び組み立てる部品の節約である。
【００１８】
本発明の他の態様によれば、生体インプラントの荷重支持面の突起のサイズは、多方向に加えられる圧縮負荷の不均等な配分を補償するために、複数の突起の集団又は突起の部分内で変えることができる。ほぼ単方向の力の内容であっても、所与の外科部位に関連する様々な因子、特に形状、地形、及び力配分因子によって、突起のいくつかには他よりも高い応力がかかることがある。また、生体インプラントは、中央開口によって境界を定めた領域が比較的弱いインプラントの形状によって、あるいは骨供給源の固有の組成的特徴によって、荷重支持面上又は下の領域に比較的弱い領域を有することがある。したがって、インプラントを移植部位から転位させる傾向にある結果的に生じる力のベクトルに従って、荷重支持部を提供しながら、インプラントの脱出を止める際に助けとならないことのある突起上の応力を選択的に減らすことが好都合である。この問題に対処する、本発明によるインプラントの１つの可能な修正は、同一群内の突起のサイズを変えることである。代替的又は同時に異なるサイズの突起を有すると、突起の形状もまた変えることができる。様々な形状の突起から生じる重要な利点には、固定中のインプラントの骨誘導性特徴には不可欠な脱無機質化層の保存がある。さらに、荷重支持面の突起の配置を分散することによって、多方向の負荷をインプラントの特定領域又は特徴から遠ざける又は接近させるように管理することもできる。このことにより、インプラントは表面に均一に加えられる直接的な負荷に一般に抵抗することができるだけでなく、脊椎固定で使用することが可能になる。例えば、生体インプラントがその天然の特性により、あるいは機械加工又は化学処理により、穴又は弱い部分を含む場合、突起を使用して負荷をこれらの領域から遠ざける向きにし、生体インプラントの全体的な荷重支持効率を上げることができる。突起のサイズ及び形状もまた、インプラントが椎体の端板と一致し、それによって前湾症及び後湾症を修復し、生体インプラントと移植部位の間の接触面を増加させるように、選択することができる。
【発明を実施するための最良の形態】
【００１９】
上記及びその他の目的、特徴、及び利点は、本発明の生体プラントの、添付の図面に関する特定の説明によって、より容易に理解することができるだろう。
図１及び２を参照すると、椎間インプラントとして有用な外科的生体インプラント１０が一般に隣接する椎骨（図示せず）の端板同士の間に並置され、荷重支持面をに漸次固定することによって手術部位でのインプラントの安定性を向上させる形状の荷重支持面を備えている。本明細書で使用される「生体インプラント」という用語は、皮質骨及び／又は海綿骨を含み、自家移植片、同種移植片、又は異種移植片を生存患者に移植するために処理したインプラントのことをいう。本明細書で使用される「安定性」という用語は、表面加工した生体インプラントが、著しく移動、回転、又は脱出せずに移植部位に留まる能力のことをいう。
【００２０】
ただし、インプラント１０は圧縮及びねじり負荷に耐える能力のある他の適切な移植材料から作製することができることに留意されたい。そのような材料には、特に、ヒドロキシアパタイト、カルシウムカーボネート、リン酸カルシウム、カルシウムホスホシリケート、硫酸カルシウム、ステアリン酸マグネシウム（ｍａｇｎｅｓｉｕｍ  ｓｔｅｒａｔｅ）、ポリエーテルケトン、ポリカプロラクトン、ラクタイドコグリコライド、ポリウレタン、ガラスセラミクスの組成などがある。
【００２１】
皮質骨及び／又は海綿骨を含む生体インプラントを参照すると、腓骨ウェッジ、上腕骨ウェッジ、脛骨ウェッジ、腓骨小菱形骨ウェッジ、上腕骨小菱形骨ウェッジ、大腿骨小菱形骨ウェッジ、腓骨シャフト及びリング、上腕骨シャフト及びリング、大腿骨シャフト及びリングを含むことができる。これらの他に、又はこれらの代わりに、生体インプラントは、例えば大腿骨近位部及び遠位部、大腿骨骨頭を含む実質的に無傷の骨移植片、並びに例えば海綿骨立体、腸骨稜ウェッジ、及びクロワード合釘を含む小切骨片とすることもできる。その組成により、生体インプラントを骨誘導性及び／又は骨伝導性とすることができる。本明細書で使用される「骨伝導性」という用語は、ある物質又は材料が新しい宿主骨の成長を許容する面を有する能力のことをいう。本明細書で使用される「骨誘導性」という用語は、ある物質又は材料が、新しい骨形成を刺激する可能性のある細胞を宿主から補充する性質のことをいう。動物の軟組織に異所性骨形成を誘導することのできるあらゆる材料は骨誘導性であるとみなされる。例えば、Ｅｄｗａｒｄｓらの方法に従って測定すると、もっとも骨誘導性の材料は、無胸腺マウスで骨形成を誘導する（“人の脱無機質化骨の骨誘導、ラットモデルにおける特性付け（Ｏｓｔｅｏｉｎｄｕｃｔｉｏｎ  ｏｆ  Ｈｕｍａｎ  Ｄｅｍｉｎｅｒａｌｉｚｅｄ  Ｂｏｎｅ：Ｃｈａｒａｃｔｅｒｉｚａｔｉｏｎ  ｉｎ  ａ  Ｒａｔ  Ｍｏｄｅｌ）”Ｃｌｉｎｉｃａｌ  Ｏｒｔｈｏｐｅａｄｉｃｓ＆Ｒｅｌ．Ｒｅｓ．，３５７：２１９−２２８，Ｄｅｃｅｍｂｅｒ  １９９８；参照によって援用する）。他の例では、骨誘導は細胞補充及び骨形成表現型の補充細胞の誘導によって起こるとみなされる。骨誘導性はまた、組織培養において培養細胞（１次培養、２次培養、又は外植片）の骨形成表現型を誘導する能力として判断することもできる。Ｚｈａｎｇらによって説明されている生体内の異所性骨形成測定を使用して組織培養法を調整することが望ましい（“人の脱無機質化骨マトリックスの骨誘導性の量的評価（Ａ  ｑｕａｎｔｉｔａｔｉｖｅ  ａｓｓｅｓｓｍｅｎｔ  ｏｆ  ｏｓｔｅｏｉｎｄｕｃｔｉｖｉｔｙ  ｏｆ  ｈｕｍａｎ  ｄｅｍｉｎｅｒａｌｉｚｅｄ  ｂｏｎｅ ｍａｔｒｉｘ）”Ｊ．Ｐｅｒｉｏｄｏｎｔａｌ．６８（１１）：１０７６−８４，Ｎｏｖｅｍｂｅｒ  １９９７；参照によって援用する）。化合物が組織培養において明らかな「骨形成」表現型を誘導する能力は、生体内での新しい骨形成の誘導と常に相関するとは限らないので、技術が認められた生体内での異所性骨形成モデルに対して試験管内測定の調整を行うことは重要である。ＢＭＰ、ＩＧＦ、ＴＧＦ−β及び血管形成因子は、骨誘導性因子のなかでも、骨髄及び血管周辺腔から損傷部位へ細胞を動員し、それによってこれらの動員細胞を、骨形成を行う経路に沿って分化させることが明らかになっている。骨及び象牙質から隔離されたＤＢＭは、両方とも骨誘導性材料である（Ｒａｙ  ｅｔ  ａｌ．，“骨インプラント（Ｂｏｎｅ  ｉｍｐｌａｎｔｓ）”Ｊ．Ｂｏｎｅ  Ｊｏｉｎｔ  Ｓｕｒｇｅｒｙ  ３９Ａ：１１１９，１９５７；Ｕｒｉｓｔ，“Ｂｏｎｅ：ｆｏｒｍａｔｉｏｎ  ｂｙ  ａｕｔｏｉｎｄｕｃｔｉｏｎ”Ｓｃｉｅｎｃｅ  １５０���８９３，１９６５；参照によってこれらのそれぞれを援用する）。
【００２２】
同種移植骨組織はレシピエントと同種の死体から採取され、厳密な無菌状態のもとで認定されているクリーンルーム作業着を使用して処理される。骨組織は好ましくは、骨髄及び血液を含むすべての軟組織を除去し、生体インプラントでの使用に適した清潔な骨材料を作製するように処理される。適切な処理方法は、当業者には良く知られており、当業者は過度の実験をしなくても容易に選択し利用することができる。骨処理の既知の方法は、例えば、米国特許第５，５５６，３７９号に開示されており、参照によってその内容を援用する。処理後、清潔な骨材料は滅菌状態で包装され保存されて、本発明による表面加工の生体インプラントにするように後処理され、あるいは適切に包装した後直ちに、本発明による表面加工の生体インプラントにするように処理される。新鮮な、新鮮凍結した、及び／又は凍結乾燥した生体インプラントが好ましい。
【００２３】
生体インプラント１０は、上位及び下位椎骨の端板にそれぞれ面する表面加工した荷重支持面１２及び１４を有し、当業者には周知であるように後者を漸次固定する形状である。本明細書で使用する「表面加工した生体インプラント」という用語は、生体インプラントの荷重支持面１２及び１４を、例えば天然面及び／又は切断面など任意の表面とすることができ、生体インプラントの表面に設けられた１つ又は複数の突起を有する生体インプラントのことをいう。本明細書で使用する「突起」という用語は、生体インプラントの表面の不規則性のことをいう。上述のように、突起を含むインプラント１０全体は、全体的に脱無機質化骨から形成することができ、又は少なくとも突起の外側層を脱無機質化骨（ｄｅｍｉｎｅｒａｌｉｚｅｄ  ｂｏｎｅ）から形成することができることに留意されたい。
【００２４】
突起は、必ずしも生体インプラントの表面全体にわたって形成する必要はない。突起の形成は表面の一部分に限定することもできる。例えば、突起は骨又は骨を含む複合材料の天然面及び切断面全体、骨又は骨を含む複合材料の天然面及び／又は切断面の一部分、あるいは骨又は骨を含む複合材料の切断面全体に模様をつけることができる。
【００２５】
表面加工したインプラント１０は、前方脊柱支持の修復を含む脊椎への適用に有用であり、前方、後方、又は後側方アプローチのいずれでも使用することができる。さらに、表面加工したインプラント１０はまた、頚部、胸部、及び腰部の椎体間固定にも適しており、好ましくは、表面加工したウェッジ（ウェッジは常に必要とは限らない）、立体、又は円板を含む。後者は、それに限定はされないが、表面加工した生体インプラントの腓骨ウェッジ、表面加工した生体インプラントの上腕骨ウェッジ、表面加工した生体インプラントの脛骨ウェッジ、及び表面加工した生体インプラントの大腿骨ウェッジを含む。大きな脊柱損傷に対処するのに適している表面加工した生体インプラント１０は、例えば表面加工した腓骨シャフト、表面加工した上腕骨シャフト、表面加工した大腿骨シャフトなどの、表面加工した生体インプラントシャフトを含む。
【００２６】
表面加工した生体インプラント１０は、好ましくは、向かい合う切断面上に複数の突起を接近して配置するように表面加工されている。頚部固定のための他の適切な移植片には、表面加工した腸骨稜生体インプラント、又は表面加工した海綿骨インプラントがある。本発明による表面加工したインプラントは、例えば脊椎骨折、例えば外傷後後湾症、椎弓切除後後湾症、接合部後湾症、ショイエルマン後湾症など後湾症変形などの変形、例えば神経筋側湾症、成人側湾症、麻痺性側湾症、先天性及び症候群性側湾症などの側湾症、及び頚椎の首の痛みなどの先天的な異常、疾患、又は外傷により引き起こされる欠陥を患う患者に移植するのに有用である。例えば腰椎における、変性症状を矯正する外科的方法には、減圧、椎間板材料、肥大骨、又は靭帯の切除及び固定、又は固定のみを行うことなどがある。前方、横方向、前側方、又は後方の手術アプローチを使用することができる。主な病理部位及び外科医の好みによってアプローチ法が決定される。椎体に関する病理は、胸部、腹部、又は腹側部から前方的にアプローチするのが最も良い。後方要素に関する病理は例えば垂直正中線アプローチ、又は後側方筋肉らせんアプローチによって後方的にアプローチするのが最も良い。
【００２７】
例えば、脛骨プラトー、椎骨の完全置換、損傷した椎骨の切除など、インプラントの脱出が懸念事項である移植手術を行う整形外科医及び脊椎外科医は、手術に最適化された特定の表面加工生体インプラントを、容易に選択し利用することができる。このような選択及び利用の際に懸念される要因には、生体インプラント骨の種類、固定する解剖学的部位、患者の活動レベル及び年齢などがある。ただし、重要なことは、表面加工したインプラントのサイズはその使用によって異なり、椎骨などを自然に又は所望通りに位置決めすることによっても異なることである。
【００２８】
例えば、腰椎の椎体間固定で使用される理想的な生体インプラントは、骨誘導性、骨伝導性、非免疫性であり、安定性をもたらすのに適切なサイズ及び形状である。適応、診断基準、移植片の選択、及び手術方法は、当業者であれば過度の実験を行わなくても容易に選択し、最適化し、利用することができる。上記に関するすべての事項は、Ｍａｓｔｅｒ Ｔｅｃｈｎｉｑｕｅｓ ｉｎ Ｏｒｔｈｏｐｅｄｉｃ Ｓｕｒｇｅｒｙ， Ｔｈｅ Ｓｐｉｎｅ， ｅｄｉｔｅｄ ｂｙ Ｂｒａｄｆｏｒｄ， Ｄａｖｉｄ Ｓ．， Ｌｉｐｐｉｎｃｏｔｔ−Ｒａｖｅｎ， ＩＳＢＮ ０−７８１７−００３３−７， Ｐｈｉｌａｄｅｌｐｈｉａ， Ｐａ．， （１９９７）に述べられており、参照によってその全体を援用する。
【００２９】
突起１６、１８、２０及び２２は、別々の突起、連続した突起、あるいはそれらの組み合わせにすることができ、例えば不均一、角錘形、円錐形、立方体、長方形、及び円筒形など任意の形状にすることができる。さらに、連続した別々の突起の横断面は、例えば不均一、長方形、正方形、楕円形、円形、三角形、菱形、及び規則的又は不規則な湾曲、又は他の任意のそれらの組み合わせとすることができる。突起は、生体インプラント表面に、例えば格子状パターンなど規則的で対称的なパターンで、又は例えば同軸円パターンで、又は不規則なパターンで設けることができる。
【００３０】
本明細書で使用する「連続した突起」という用語は、荷重支持面に対して横方向に延びる平面上での長さが、例えば線形又は湾曲突起など、ほぼ中断されずに連続していることをいう。突起の長さは、少なくとも幅の３倍の長さであるが、好ましくは長さが少なくとも幅の５倍の長さであり、例えば連続した突出する同軸円、及び荷重支持面に対して横方向に延びる平面上の連続した線形突起を含む。連続した突起は、それぞれ別の連続した突起と区別することもしないこともできる。
【００３１】
本明細書で使用する「個別の突起」という用語は、不連続、すなわち個別の長さ及び幅を有する突起のことをいい、個別の突起はそれぞれ別の個別の突起とは別個であり区別され、例えば長さが幅の約３倍より短い突起を含む。好ましくは、長さが幅の２倍よりも短く、さらに好ましくは、個別の突起はその幅とほぼ等しい長さを有する。
【００３２】
本発明の生体インプラントの荷重支持面上に画成された突起に適用される「不均一な形状」という用語は、生体インプラントの荷重支持面上にある突起の集団又は部分内でのパターン、配置、サイズ、間隔、形状、断面などの差異のことをいい、このような突起を、上記で述べた米国特許第６，５１１，５０９号に開示されているインプラントの表面加工面の均一な形状と区別している。
【００３３】
重要なことは、突起１６及び１８がインプラント１０に多方向の負荷に耐えることのできる高い機械強度をもたらす必要があることである。本明細書で使用する「機械強度」という用語は、生体インプラントが移植部位で故障することなく一般的な機械的負荷及び応力に耐えることのできる能力をいう。本明細書で使用する「応力」という用語は、単位断面積あたりの負荷のことをいう。
【００３４】
図１及び２を参照すると、荷重支持面１２上に設けられた突起１６及び２０、ならびに荷重支持面１４の底面に設けられた突起１８及び２２（それぞれ図１及び２）は互いに対して傾斜している。例えば、図１に見られるように、軸Ａ−Ａ（図１）に対して平行に位置する突起１６及び軸Ｂ−Ｂに対して平行に位置する突起１８は、冠状及び矢状面などの横方向面上を延びる。ただし、図１及び２に示すように、突起１６及び１８は一般に互いに対して垂直に延びることが示されており、軸Ａ−ＡとＢ−Ｂの間の角度は、本発明の概念を正常に実行する。したがって、それぞれの端板に結合された突起１６は、軸Ｂ−Ｂに沿って効果的に抵抗することができ、一方、底面の突起１８は軸Ａ−Ａに沿った方向の力に抵抗する。例としてのみ挙げると、例えば軸Ａ−Ａは前方／後方方向に対応する冠状面を延び、一方、軸Ｂ−Ｂは冠状面に対して横方向に延びる矢状面に一致する。その結果、生体インプラント１０は、反対側の荷重支持面１２及び１４に通常の圧縮負荷が加わっているとき、平行移動に対して多方向に抵抗することができる。さらに、生体インプラント１０は、インプラントの本発明の突起の特徴を有する向かい合う面１２及び１４に圧縮負荷がかかっているとき、意図された挿入経路（適用される挿入負荷の方向）からほとんど外れることがない。
【００３５】
本発明の他の特徴によると、同じ又は反対側の荷重支持面１２及び１４の隣接する領域は、突起の間に形成された異なる向きの突起及び溝２４を備えることができる。主な概念と同様に、様々な向きの突起及び溝の集団が手術部位でのインプラントの安定性を向上させ、隣接する椎骨と生体インプラントの間で望まない相対的な転位が起こることを最小限に抑える。
【００３６】
本発明の補助的な特徴の１つによると、インプラントが脱無機質化層２６（図２ｂ）を有する場合、このような層をインプラントと椎骨面の相対的な転位によって生じる早期劣化から保護するために、突起３０及び３２を不均一なサイズにすることができる。荷重支持面１２及び１４の様々な領域は、一般に不均等に配分された圧縮負荷を受けており、したがって比較的低い、又は高い部分的応力がかかっている。さらに、圧縮負荷が比較的均一であっても、生体インプラントの骨材料供給源の固有の特徴及びその形状によって、同一面上には、より弱い、又はより強い部分的な領域が存在することがある。一般に、荷重支持面の周辺付近に位置する領域３４及び３６（図２ａ、２ｂ）は比較的弱い。したがって、突起３０、３２（図３Ｅ）の高さを応力レベルの関数として調整することにより、一般に隣接する椎骨の端板によって磨耗する脱無機質化層２６（図２ｂ）の劣化を低減することができる（これは脱無機質化層を保護するためだけに適用されるのではなく、インプラントの突起を選択的に配置することによって圧縮及びせん断負荷を管理することにより、インプラントへの機械的損傷も制御する）。
【００３７】
突起１６、１８、２０及び２２の高さは、例えば約０．１ｍｍから約６．０ｍｍの間で変えることができるが、好ましくは約０．３ｍｍから３．０ｍｍの間であり、より好ましくは上述の理由から約０．５ｍｍから１．５ｍｍの間である。好適には、突起の高さは約０．１ｍｍから５．０ｍｍの範囲内とすることができる。
【００３８】
所望の突起幅、長さ、及び高さ、ならびに断面を形成するのに適切なサイズである、所望の突起パターンに対応する刃を有するドリルビットをドリルに取り付けることによって、ならびに所望の表面加工面を形成するために所望の骨表面に穿孔することによって、他の突起、例えば同軸円の、又は他の湾曲した、あるいは不規則又は規則形状の突起を設けることができる。当業者であれば、生体インプラントに所望の表面加工面を形成するために適切な切削工具を、容易に設計し、製造し、又は選択し、利用することが可能である。
【００３９】
上記の突起形状のいくつかを図３ａから３ｇに示す。例えば、図３ａから３ｅは全体的に三角形ではなく多角形であることを特徴とする突起を示す。図３ａは均一方向を向いた突起５０を示し、図３ｂは、同一荷重支持面及び／又は向かい合う荷重支持面に形成されているかに関わらず、一群にされた菱形突起５２及び５４を示し、それぞれの群は異なる角度を有するようになっている。図３ｄから３ｅ及び３ｇには、ある程度異なる多角形断面が示されている。突起５６及び５８（図３ｄ、３ｅ）はそれぞれ、本体６６の基部を拡大するように本体６６から横方向外側に延び、それにより多方向の圧縮負荷に対する突起の集団全体の抵抗を向上させる、部分６０及び６２を有する。図３ｇに示した修正によると、本体６６は両側に少なくとも２つの直角を有する段階的又は多段階形状であり、さらに広い面積を設けることもできる。好適には、突起は狭い間隔で離間している。本明細書で使用される「狭い間隔」という用語は、突起が互いに近接していることをいう。好ましくは、突起の間隔（すなわち２つの隣接する突起の縁部同士の間の距離）は、約６．０ｍｍ以下であり、より好ましくは約２．０ｍｍ以下であり、より好ましくは約１．５ｍｍ以下であるが、いかなる場合でも約０．５ｍｍ以上である。最後に、図３ｆに波状の突起形状を示す。
【００４０】
突起は、例えば自然の及び切断した荷重支持面全体、天然の及び／又は切断した荷重支持面の一部分、又は切断面全体など、生体インプラントの表面全体又は表面の一部分のみに形成することができる。突起は、例えば一連の平行な線形又は湾曲した溝を形成することを対象とする機械的及び／又は化学的方法などを含む、いくつの方法によっても表面上に形成することができる。好ましくは、生体インプラント突起は、生体インプラントの切断面上に第１組の平行な線形溝を切削し、次に生体インプラントを回転させ、第１の組に対して角度をつけて第２組の平行な線形溝を切削することによって形成される。平削りは好ましくは、荷重支持面１２及び１４の一方に所望の高さ及び幅の突起を形成するように、１つ又は複数の表面に狭い間隔で離間した調節可能な複数の刃を有する形状の切削工具上で移植片を動かすことによって行われる。その後、移植片を例えば９０度回転し、他の荷重支持面も同様に処理する。その結果、向かい合う荷重支持面１２及び１４に個別の突起が形成される。切削は、例えばくり抜き工具、レーザ及び／又はマスキング及び酸エッチングを使用して行うこともできる。
【図面の簡単な説明】
【００４１】
【図１】本発明による形状にされた生体インプラントの実施形態の等角図である。
【図２】図２ａは、本発明による形状の生体インプラントの別の実施形態の上面図である。図２ｂは、本発明による形状の生体インプラントの別の実施形態の底面図である。
【図３】図３ａは、異なる表面加工をした、本発明による形状の荷重支持面を示す図である。図３ｂは、異なる表面加工をした、本発明による形状の荷重支持面を示す図である。図３ｃは、異なる表面加工をした、本発明による形状の荷重支持面を示す図である。図３ｄは、異なる表面加工をした、本発明による形状の荷重支持面を示す図である。図３ｅは、異なる表面加工をした、本発明による形状の荷重支持面を示す図である。図３ｆは、異なる表面加工をした、本発明による形状の荷重支持面を示す図である。図３ｇは、異なる表面加工をした、本発明による形状の荷重支持面を示す図である。
【図１】
2006526478.tif 000003
2006526478.tif 000004
2006526478.tif 000005
【国際調査報告】
2006526478.tif 000006